(57)【特許請求の範囲】
【請求項１】
ヘッドを搭載したキャリッジと、このキャリッジを一定方向に往復動させるための駆動力を発生させるボイスコイルモータと、を有している、ヘッド移動装置であって、
上記キャリッジは、上記ヘッドを支持し、かつ上記ボイスコイルモータのコイル部を有している第１の可動部材と、ガイド部材による上記一定方向への移動ガイドが可能な第２の可動部材とに分割されているとともに、
上記第１の可動部材は、上記一定方向への弾性変形が可能な少なくとも１つのバネ部材を介して上記第２の可動部材に支持されることにより、上記第２の可動部材に対して上記一定方向に相対移動可能となっており、かつ、
上記第２の可動部材は、上記第２の可動部材に対して一定寸法を超えて相対移動した上記第１の可動部材の当接を受けて上記第１の可動部材と同方向に移動可能とされていることを特徴とする、ヘッド移動装置。
【請求項２】
上記第２の可動部材は、上記第１の可動部材との間に隙間を形成するようにして上記第１の可動部材を上記一定方向において挟む一対の被押圧部を有している、請求項１に記載のヘッド移動装置。
【請求項３】
上記第２の可動部材は、上記第１の可動部材を収容する空間部を形成するように間隔を隔てて対向する前壁部および後壁部を有しており、かつこれら前壁部および後壁部のそれぞれの一部が上記一対の被押圧部とされている、請求項２に記載のヘッド移動装置。
【請求項４】
ディスクの半径方向にヘッドを移動させるためのヘッド移動装置を具備している、ディスク装置であって、
上記ヘッド移動装置として、請求項１ないし３のいずれかに記載のヘッド移動装置が用いられていることを特徴とする、ディスク装置。
【発明の詳細な説明】
【０００１】
【発明の属する技術分野】
本願発明は、ディスク装置の光学ヘッドあるいは磁気ヘッドなどの所望のヘッドを一定の経路で往復動させるのに用いられるヘッド移動装置、およびこのヘッド移動装置を備えたディスク装置に関する。
【０００２】
ただし、本明細書において単に「ディスク」という場合には、磁気ディスク、光ディスクあるいは光磁気ディスクなどのデータ記憶媒体としての各種のディスクを意味している。また、本明細書において単に「ディスク装置」という場合には、磁気ディスク、光ディスクあるいは光磁気ディスクなどの所定のディスクへのデータの記録、再生、消去を行うための装置、またはそれらのうちの少なくとも１つの処理を行うための装置を意味している。
【０００３】
【従来の技術】
周知のとおり、たとえば光磁気ディスク装置において、データの記録・再生処理を行うには、光磁気ディスクの目的のトラックを光学ヘッドによって検出させる動作、すなわちシーク動作を行う必要がある。そこで、従来においては、ボイスコイルモータを利用したヘッド移動装置がある。このヘッド移動装置は、直動型と称されるものであり、具体的には、図７に示すような構造を有している。
【０００４】
この従来のヘッド移動装置は、光学ヘッド９をサスペンション９５を介して支持するキャリッジ９０と、一対のボイスコイルモータＶＣＭとを具備して構成されている。光学ヘッド９は、図示されていない光源装置から水平方向に進行してくるレーザ光を受けると、たとえばこのレーザ光をミラー９ａにより上向きに反射させてから対物レンズ９ｂによって集束させることにより、光磁気ディスクＤの記録層上にビームスポットを形成する役割を果たす。各ボイスコイルモータＶＣＭのコイル部９３は、キャリッジ９０に設けられている。各ボイスコイルモータＶＣＭは、コイル部９３への通電により発生される磁界と、マグネット９１およびヨーク９２による磁束との相互作用により、キャリッジ９０を矢印Ｔｇで示すトラッキング方向に移動自在とするものである。キャリッジ９０は、トラッキング方向に延びる一対のガイド部材９４により、その移動ガイドがなされるように設けられている。
【０００５】
このような構成のヘッド移動装置によれば、ボイスコイルモータＶＣＭの駆動により、キャリッジ９０および光学ヘッド９をトラッキング方向に所定量だけ移動させることができる。したがって、上述したシーク動作が可能である。
【０００６】
【発明が解決しようとする課題】
しかしながら、上記従来のヘッド移動装置においては、次のような不具合があった。
【０００７】
すなわち、光磁気ディスクＤへのデータの記録・再生処理を的確に行うには、シーク動作後において、光学ヘッド９を光磁気ディスクＤの目的のトラックに追従させる制御（トラッキング制御）を行う必要がある。ところが、このようなトラッキング制御を、上記従来のヘッド移動装置を利用して行わせる場合には、シーク動作の場合と同様に、キャリッジ９０の全体をトラッキング方向に移動させることとなる。その一方、キャリッジ９０は、光学ヘッド９を適切に支持し得るサイズに形成する必要があるのに加え、一対のガイド部材９４によって安定的に支持される形態に形成する必要もあり、キャリッジ９０の全体のサイズおよび重量は、ある程度大きくなってしまう。
【０００８】
したがって、従来のヘッド移動装置によりトラッキング制御を行う場合には、その際の可動部分の重量（慣性質量）が比較的大きいことに起因して、ボイスコイルモータＶＣＭの駆動に対するキャリッジ９０および光学ヘッド９の移動動作の応答性が悪くなっていた。これでは、光磁気ディスクＤへのデータ記録・再生処理の高速化を図る場合において、その高速化に対応した迅速かつ的確なトラッキング制御が困難となる。
【０００９】
上記した不具合を解消する手段としては、たとえば微小ストロークでの動作が可能な微動アクチュエータ（図示略）をキャリッジ９０上に搭載し、この微動アクチュエータを利用して光学ヘッド９をトラッキング方向に移動自在とする手段が考えられる。ところが、このような手段においては、高価な微動アクチュエータをボイスコイルモータＶＣＭとは別個に設けねばならないために、ヘッド移動装置全体のコストが高価となる不具合を生じる。
【００１０】
本願発明は、このような事情のもとで考え出されたものであって、製造コストの上昇を抑制しつつ、ディスク装置におけるシーク動作や高速追従性に優れるトラッキング制御を適切に行うことが可能なヘッド移動装置を提供することをその課題としている。また、本願発明は、そのようなヘッド移動装置を備えたディスク装置を提供することを他の課題としている。
【００１１】
【発明の開示】
上記の課題を解決するため、本願発明では、次の技術的手段を講じている。
【００１２】
本願発明の第１の側面によって提供されるヘッド移動装置は、ヘッドを搭載したキャリッジと、このキャリッジを一定方向に往復動させるための駆動力を発生させるボイスコイルモータと、を有している、ヘッド移動装置であって、上記キャリッジは、上記ヘッドを支持し、かつ上記ボイスコイルモータのコイル部を有している第１の可動部材と、ガイド部材による上記一定方向への移動ガイドが可能な第２の可動部材とに分割されているとともに、上記第１の可動部材は、上記一定方向への弾性変形が可能な少なくとも１つのバネ部材を介して上記第２の可動部材に支持されることにより、上記第２の可動部材に対して上記一定方向に相対移動可能となっており、かつ、上記第２の可動部材は、上記第２の可動部材に対して一定寸法を超えて相対移動した上記第１の可動部材の当接を受けて上記第１の可動部材と同方向に移動可能とされていることを特徴としている。
【００１３】
このような構成を有するヘッド移動装置においては、上記ヘッドを上記一定寸法以下の短いストロークで移動させる場合には、上記キャリッジの第１の可動部材を第２の可動部材とは独立させて単独で移動させることができる。このようにすれば、上記第２の可動部材を移動させない分だけ、上記キャリッジの可動部分全体の重量を小さくすることができ、上記第１の可動部材および上記ヘッドを上記ボイスコイルモータの駆動に対して応答性良く、迅速に移動させることが可能となる。一方、上記ヘッドを上記一定寸法を超える長いストロークで移動させる場合には、上記第１の可動部材が上記第２の可動部材に当接することによって上記第２の可動部材を押動させることにより、これら第１および第２の可動部材を一緒に移動させることができる。このようにすれば、上記第２の可動部材を上記ガイド部材のガイド作用によって長いストロークにわたって安定させた状態で移動させることができるために、上記第１の可動部材および上記ヘッドについても、それに伴わせて長いストロークにわたって安定した状態で移動させることが可能となる。
【００１４】
このように、本願発明に係るヘッド移動装置においては、一定寸法を超える長いストロークにおけるヘッドの安定した移動動作と、一定寸法以下の短いストロークにおけるヘッドの迅速な移動動作との２種類の移動動作を両立させることができる。このため、本願発明に係るヘッド移動装置によって、ディスク装置のヘッドをトラッキング方向に移動させるようにすれば、適正なシーク動作と高速追従性に優れるトラッキング制御とが可能となる。また、本願発明においては、上記したヘッドの２種類の移動動作が、いずれもボイスコイルモータの駆動力を利用して行われる。したがって、ボイスコイルモータとは別の微動アクチュエータを利用してヘッドを微動させる手段と比較すると、ヘッド移動装置のコストを廉価にすることができる。
【００１５】
本願発明の好ましい実施の形態においては、上記第２の可動部材は、上記第１の可動部材との間に隙間を形成するようにして上記第１の可動部材を上記一定方向において挟む一対の被押圧部を有している。
【００１６】
このような構成によれば、上記隙間の範囲内において上記第１の可動部材を移動させる場合には、この第１の可動部材を上記第２の可動部材とは独立させて移動させることができる。その一方、上記第１の可動部材を上記一対の被押圧部のいずれかに接触または接近させた場合には、その被押圧部を上記第１の可動部材によって押圧することができ、この第１の可動部材を上記第２の可動部材とともに移動させることができる。上記第１の可動部材を上記第２の可動部材とともに移動させることが可能となる。したがって、上記構成によれば、上記第１の可動部材を単独で移動させる動作と第２の可動部材とともに移動させる動作とのいずれかを選択する場合に、その選択を行うための特別な切り替え手段などを別途設けるような必要はなく、キャリッジの構造を簡易にすることができる。
【００１７】
本願発明の他の好ましい実施の形態においては、上記第２の可動部材は、上記第１の可動部材を収容する空間部を形成するように間隔を隔てて対向する前壁部および後壁部を有しており、かつこれら前壁部および後壁部のそれぞれの一部が上記一対の被押圧部とされている。
【００１８】
このような構成によれば、上記第２の可動部材の空間部内に上記第１の可動部材を収容した構造にできるために、上記第１および第２の可動部材を組み合わせたキャリッジ全体のサイズを小さくするのに有利となる。
【００２１】
本願発明の第２の側面によって提供されるディスク装置は、ディスクの半径方向にヘッドを移動させるためのヘッド移動装置を具備している、ディスク装置であって、上記ヘッド移動装置として、本願発明の第１の側面によって提供されるヘッド移動装置が用いられていることを特徴としている。上記ヘッドは、光学ヘッドまたは磁気ヘッドである構成とすることができる。
【００２２】
このような構成を有するディスク装置によれば、本願発明の第１の側面によって提供されるヘッド移動装置において説明したのと同様な効果が期待できる。
【００２３】
本願発明のその他の特徴および利点については、以下に行う発明の実施の形態の説明から、より明らかになるであろう。
【００２４】
【発明の実施の形態】
以下、本願発明の好ましい実施の形態について、図面を参照しつつ具体的に説明する。
【００２５】
図１〜図６は、本願発明に係るヘッド移動装置およびディスク装置の一例を示している。本実施形態のディスク装置Ａは、光磁気ディスクＤへのデータ記録とその再生が可能な光磁気ディスク装置であり、図１および図２によく表れているように、光磁気ディスクＤを水平に支持して高速回転させるスピンドル１０と、光学ヘッド２を矢印Ｔｇで示すトラッキング方向に移動させるためのヘッド移動装置Ｂと、光源・検出部６０とを具備して構成されている。このディスク装置Ａは、後述するように、光磁気ディスクＤへのデータ記録・再生に必要な磁界を形成するための磁気ヘッドあるいはコイル（いずれも図示略）も具備している。
【００２６】
光学ヘッド２は、光磁気ディスクＤの記録層にレーザ光をスポット照射する役割を果たすものであり、たとえば対物レンズ２０を保持するスライダ２１と、ミラー２２とを組み合わせて構成されている。この光学ヘッド２は、トラッキング方向に延びる板バネ部材からなるサスペンション３の先端部に支持されており、光磁気ディスクＤの下方に配置されるようになっている。スライダ２１は、光磁気ディスクＤが高速回転するときに、このスライダ２１と光磁気ディスクＤとの間に空気が流れ込む作用により、光磁気ディスクＤの下向き表面に対して微小間隔を隔てて対向（浮上）し、常にその間隔が一定となるように、光磁気ディスクＤの面振れ（矢印Ｆｓで示すフォーカス方向の振れ）に追従するようになっている。また、このスライダ２１は、サスペンション３の先端部に相対して種々の方向に傾斜可能であり、光磁気ディスクＤの表面が傾斜したときにはそれに追従して傾斜することにより、上記表面と一定な関係を維持するようになっている。
【００２７】
ミラー２２は、光源・検出部６０からミラー６１を介して水平方向に進行してきたレーザ光を対物レンズ２０に入射させるように反射するいわゆる立ち上げミラーとしての役割を果たすものである。このミラー２２としては、たとえば三角プリズムを利用したミラーを用いることができる。対物レンズ２０は、ミラー２２から進行してきたレーザ光を集束させることにより、光磁気ディスクＤの記録層にビームスポットを形成するものである。この対物レンズ２０は、１枚のレンズによって構成してもかまわないが、複数枚のレンズを組み合わせた構成とすることもできる。ビームスポットの微小化を図り、光磁気ディスクＤの記録密度を高める観点からすれば、固体浸レンズなどを含む複数のレンズを組み合わせることにより、対物レンズ２０の開口数を高めることが好ましい。スライダ２１と光磁気ディスクＤの表面との間隔および対物レンズ２０からビームスポットが形成される位置までの距離のいずれをも微小にすれば、光磁気ディスクＤの面振れに対するスライダ２１の追従動作のみによってビームスポットを常に光磁気ディスクＤの記録層に適正に形成することが可能である。したがって、このような場合には、フォーカス制御の必要性を無くすことができる。
【００２８】
光源・検出部６０は、レーザ光を出射する光源としての役割に加え、光磁気ディスクＤの記録層にビームスポットを形成したときにこの記録層から反射してくるレーザ光を受けることにより記録データの検出処理やたとえばトラッキンエラー信号の検出処理を行う検出部としての役割をも果たすように構成されている。ただし、光源と検出部とを分離させた構成とすることもできる。光磁気ディスクＤにたとえば磁界変調方式によるデータの書き込みや読み取りを行う場合において、ビームスポットの形成箇所に必要磁界を形成する手段としては、たとえば光学ヘッド２に磁界発生用のコイルを搭載しておく手段を採用することができる。このような手段によれば、光学ヘッドとは別に磁気ヘッドを設ける必要がなく、ディスク装置の構造の簡素化を図ることができる。本願発明でいう光学ヘッドとは、このような磁界発生用のコイルを兼備したものも含む概念である。もちろん、本願発明においては、光学ヘッド２とは別の磁気ヘッドを光磁気ディスクＤの上方に設けておき、この磁気ヘッドをビームスポットの形成箇所に接近させる手段を採用することもできる。
【００２９】
図３および図４によく表れているように、ヘッド移動装置Ｂは、キャリッジ７と、このキャリッジ７を上記トラッキング方向に往復動させるための一対のボイスコイルモータＶＣＭとを具備して構成されている。各ボイスコイルモータＶＣＭ自体の構成は、従来のものと同様であり、コイル部８０、ヨーク８１およびマグネット８２を具備して構成されている。ヨーク８１およびマグネット８２は、広義の磁気回路を構成するものである。ヨーク８１は、強磁性体からなり、たとえば矩形の枠状に形成されている。コイル部８０は、ヨーク８１のトラッキング方向に延びる直状部分に緩く外嵌している。
【００３０】
キャリッジ７は、第１の可動部材７ａと第２の可動部材７ｂとに分割されており、本実施形態は、このキャリッジ７の構成に最大の特徴を有している。第１の可動部材７ａは、たとえば略直方体状であり、この第１の可動部材７ａの上面部に設けられた支持板７０ａにサスペンション３の基端部が接合されている。第１の可動部材７ａの幅方向両端部には、一対のコイル部８０が設けられている。したがって、ボイスコイルモータＶＣＭの駆動力はこの第１の可動部材７ａに直接的に作用することとなり、一対のコイル部８０への通電ならびにその停止、および通電方向の切り替えを行うことにより、第１の可動部材７ａをトラッキング方向において所望量だけ前進または後退させることが可能である。本願発明においては、コイル部８０のコイル導線が一部に巻かれたボビンを、第１の可動部材７ａとすることができる。
【００３１】
図４および図５によく表れているように、第１の可動部材７ａのトラッキング方向における前端および後端は、第２の可動部材７ｂの底部７１から上方に立ち上がった２枚の板バネ７４ａ，７４ｂの各上端に取り付けられている。これら２枚の板バネ７４ａ，７４ｂは、トラッキング方向に適度な弾性復元力をもって撓み変形可能であり、これらの下端はたとえば第２の可動部材７ｂの底部７１に固定して取り付けられた固定板７６によって支持されている。本実施形態においては、２枚の板バネ７４ａ，７４ｂを用いて第１の可動部材７ａを支持させているが、本願発明はこれに限定されず、たとえば１つのバネ部材により、あるいは３以上のバネ部材により、第１の可動部材７ａを支持させた構造とすることもできる。第１の可動部材７ａの支持を安定させる観点からすれば、本実施形態と同様に、複数のバネ部材を用いることが望ましい。
【００３２】
第２の可動部材７ｂは、底部７１の前端および後端のそれぞれから上方に立ち上がった前壁部７２および後壁部７３を有しており、全体の形態は、上方が開口したボックス状またはボックス状に近い形態とされている。前壁部７２と後壁部７３との間には空間部が形成されており、この空間部内に第１の可動部材７ａや一対の板バネ７４ａ，７４ｂが収容配置されている。このような構成すれば、第２の可動部材７ｂの外部に第１の可動部材７ａや一対の板バネ７４ａ，７４ｂが大きくはみ出さないようにすることができるために、キャリッジ７の全体のサイズを小さくするのに好ましいものとなる。
【００３３】
ただし、前壁部７２および後壁部７３は、これらと一対の板バネ７４ａ，７４ｂのそれぞれの上端との間に適当な隙間ｓ１，ｓ２を形成できる間隔に設けられている。隙間ｓ１，ｓ２の合計寸法は、たとえば１ｍｍ程度、あるいは十分の数ｍｍ程度である。符号ｎ１，ｎ２で示す前壁部７２または後壁部７３のそれぞれの上部は、本願発明でいう一対の被押圧部の一例に相当する部分であり、第１の可動部材７ａがトラッキング方向に前進または後退したときには、それら一対の被押圧部のいずれか一方が第１の可動部材７ａによって押圧可能となっている。前壁部７２および後壁部７３には、トラッキング方向に延びる一対のロッド状のガイド部材８５が貫通している。本実施形態では、第２の可動部材７ｂは、各ガイド部材８５によってその長手方向への移動ガイドがなされるように各ガイド部材８５に対して摺動可能としている。なお、第２の可動部材７ｂにベアリングを取り付け、このベアリングがガイド部材８５上を転がり、第２の可動部材７ｂ全体をガイド部材８５の長手方向に移動可能とすることもできる。
【００３４】
次に、上記構成のヘッド移動装置Ｂおよびディスク装置Ａの作用について説明する。
【００３５】
まず、ヘッド移動装置Ｂにおいては、キャリッジ７の移動動作の態様として、次に述べる２種類の態様が得られる。すなわち、第１の態様は、ボイスコイルモータＶＣＭの駆動力により、第１の可動部材７ａを、図５に示した隙間ｓ１，ｓ２の範囲内において微動させる態様である。より具体的には、この第１の態様は、２枚の板バネ７４ａ，７４ｂに撓み変形を生じさせながら、たとえば図６に示すように、板バネ７４ａ，７４ｂのいずれかの上端が第２の可動部材７ｂの前壁部７２または後壁部７３に当接するまでの範囲内において、第１の可動部材７ａをトラッキング方向に移動させる態様である。この場合、第２の可動部材７ｂについては、第１の可動部材７ａにより押圧されることはないため、静止させておくことができる。したがって、第２の可動部材７ｂを移動させない分だけ、この第１の態様における可動部分の重量を小さくすることができ、ボイスコイルモータＶＣＭの駆動に対する第１の可動部材７ａの移動動作の応答性を良好にすることが可能となる。
【００３６】
キャリッジ７の移動動作の第２の態様は、第１の可動部材７ａを第２の可動部材７ｂとともに大きなストロークで移動させる態様である。より具体的には、この第２の態様においては、たとえば図６に示したように、板バネ７４ａの上端を前壁部７２に当接させた状態において、なおも第１の可動部材７ａを矢印Ｎ１で示す方向に前進させる。このようにすると、前壁部７２を第１の可動部材７ａにより押圧することができ、第１および第２の可動部材７ａ，７ｂをともに前進させることができる。もちろん、板バネ７４ｂの上端を後壁部７３に当接させた状態において第１の可動部材７ａを後退させれば、第１および第２の可動部材７ａ，７ｂをともに後退させることができる。このような第２の態様においては、一対のガイド部材８５のガイド作用によって第２の可動部材７ｂの移動を長いストロークにわたって安定させることができる。一方、第１の可動部材７ａは、第２の可動部材７ｂに支持されており、しかもこの第２の可動部材７ｂを押動するときにはこの第２の可動部材７ｂとの相対的な位置関係のずれを生じないようにすることができる。したがって、この第１の可動部材７ａについても、第２の可動部材７ｂと同様に、長いストロークにわたって安定させた移動を行わせることができるのである。
【００３７】
ディスク装置Ａにおいて、光磁気ディスクＤへのデータ記録・再生処理を行うときには、第１の可動部材７ａを上記した第２の態様によって移動させることにより、光学ヘッド２をトラッキング方向に長いストロークで安定的に移動させることができる。したがって、シーク動作を適切に行わせることができる。また、その後は光源・検出部６０で得られるトラッキングエラー信号に基づいて、第１の可動部材７ａを上記した第１の態様によって移動させることにより、光学ヘッド２をトラッキング方向において微動させることができ、トラッキング制御が可能となる。既述したとおり、第１の態様による第１の可動部材７ａの移動動作は、ボイスコイルモータＶＣＭの駆動に対する応答性が良いために、高速追従性に優れるトラッキング制御が可能となる。
【００３８】
本実施形態のディスク装置Ａにおいては、第１の可動部材７ａについての上記した第１および第２の態様のいずれの移動動作についても、一対のボイスコイルモータＶＣＭの駆動力を利用して行われている。したがって、たとえば各ボイスコイルモータＶＣＭとは別個の駆動源を用いて第１の可動部材７ａをトラッキング方向に微動させる場合と比較すると、ディスク装置の構造が合理的となり、構造の簡素化を図ることが可能となる。
【００３９】
本願発明に係るヘッド移動装置およびディスク装置の各部の具体的な構成は、上述した実施形態以外にも種々に設計変更自在である。
【００４０】
たとえば、本願発明に係るヘッド移動装置は、光学ヘッドに代えて、磁気ヘッドを移動させるための装置として構成してもかまわない。光学ヘッドと磁気ヘッドのいずれの場合においても、スライダを利用することによりヘッドをディスク上に浮上させるタイプのものと浮上させないタイプのものとがあるが、いずれのタイプにも本願発明を適用することができる。光学ヘッドや磁気ヘッドは、キャリッジに搭載されたフォーカス制御用のアクチュエータなどによって支持されていてもかまわない。なお、本願発明でいう光学ヘッドとは、少なくともビームスポットを形成するための対物レンズを備えたヘッドをいう。また、本願発明でいう磁気ヘッドとは、少なくとも磁界発生用のコイルを備えたヘッドをいう。
【００４１】
その他、本願発明に係るディスク装置は、光磁気ディスク装置に限定されず、光磁気ディスクとは異なるディスク（磁気ディスクや光ディスクなど）を駆動させてデータの書き込みあるいは読み取りを行うディスク装置として構成することができることは言うまでもない。
【００４２】
【発明の効果】
以上説明したように、本願発明によれば、ディスク装置におけるシーク動作や高速追従性に優れるトラッキング制御を適切に行うことが可能となる。また、ヘッドを移動させるための駆動源の数を増加させる必要もないため、ヘッド移動装置およびディスク装置の製造コストの上昇も抑制することができる。
【図面の簡単な説明】
【図１】本願発明に係るヘッド移動装置およびディスク装置の一例を示す概略平面図である。
【図２】図１の概略側面図である。
【図３】図１の要部斜視図である。
【図４】図３の一部断面斜視図である。
【図５】図３の要部側面断面図である。
【図６】図５に示す構造の動作説明図である。
【図７】従来技術を示す要部斜視図である。
【符号の説明】
Ａ  光磁気ディスク装置（ディスク装置）
Ｂ  ヘッド移動装置
Ｄ  光磁気ディスク（ディスク）
ＶＣＭ  ボイスコイルモータ
ｎ１，ｎ２  被押圧部
２  光学ヘッド（ヘッド）
７  キャリッジ
７ａ  第１の可動部材
７ｂ  第２の可動部材
７２  前壁部
７３  後壁部
７４ａ，７４ｂ  板バネ（バネ部材）
８０  コイル部
８５  ガイド部材
【図１】
0004044260.tif 000002
【図２】
0004044260.tif 000003
【図３】
0004044260.tif 000004
【図４】
0004044260.tif 000005
【図５】
0004044260.tif 000006
【図６】
0004044260.tif 000007
【図７】
0004044260.tif 000008